(57)【要約】【課題】再生状態から停止状態に移行させる間に回転中のディスクに手指が触れることがなく、情報信号が再現されない無音もしくは無映像状態の時間を極力に少なくすることができるディスク再生装置を提供する。【解決手段】停止状態にさせる指令が与えられたときに、メモリに既に格納済みのデータを取り出して継続して再生する連続再生モードにおいて、停止状態にさせる指令が第１回目に与えられたときに、メモリに既に格納済みのデータを取り出して再生出力を継続してディスクを停止状態に移行させ、停止状態にさせる指令が第２回目に与えられたときに、メモリに既に格納済みのデータの再生出力を停止する。【選択図】図１
2005078759.tif 000002
【特許請求の範囲】
【請求項１】
情報信号が記録されたディスクを読取装置に装着し、前記情報信号を読み出してメモリに格納すると共に、該メモリから格納データを取り出して上記情報信号を再生するディスク再生装置において、
停止状態にさせる指令が与えられたときに、前記メモリに既に格納済みのデータを取り出して前記情報信号を継続して再生する連続再生モードを備え、前記連続再生モードは、停止状態にさせる指令が第１回目に与えられたときに、前記メモリに既に格納済みのデータを取り出して前記情報信号の再生出力を継続して前記ディスクを停止状態に移行させ、停止状態にさせる指令が第２回目に与えられたときに、前記メモリに既に格納済みのデータの再生出力を停止するように構成することを特徴とするディスク再生装置。
【請求項２】
前記連続再生モードは、前記ディスクを停止状態にさせる指令が与えられたときに、前記メモリに既に格納済みのデータを全て取出した後に、完全停止状態に移行させるように構成することを特徴とする請求項１に記載のディスク再生装置。
【発明の詳細な説明】
【技術分野】
【０００１】
本発明は、映像信号及び／または音声信号が、磁気記録、光記録、光磁気記録等々の記録方式で記録されたディスクを再生するディスク再生装置に関する。
【背景技術】
【０００２】
ディスク再生装置の一例であるＣＤプレーヤは、ミクロンオーダーの微小なピットの有無でなるトラックが盤面に形成されたＣＤを回転させ、光ピックアップをそのトラックに正確に追従させ、レーザ光学的にピットの有無に対応した光再生信号を得るもので、得られた光再生信号を電気的に処理してデジタル音声信号もしくはアナログ音声信号を再現させている。
【０００３】
このようなＣＤプレーヤは、その本体に外部振動が与えられても安定して音声信号が再現されるような方策が採用されていて、その具体例として例えば［特許文献１］に開示されているショックプルーフ再生機能を有している。
【０００４】
即ち、ショックプルーフ再生機能とは、光ピックアップによって行なわれるＣＤからの光信号読み出しを正規の再生速度と同一にリアルタイム的に行わず、ＣＤを高速で回転させて高速で読み出しを行ない、読み出されたデータをショックプルーフメモリと称されるメモリに、高速で格納し、当該メモリが満杯になったらディスクからの光再生信号の読み出しを一時的に休止し、当該メモリが空になる前に再びディスクを高速回転させて光信号読み出しを行うことによって、機器に外部振動が与えられても、再現される音声信号がとぎれないようにする、いわゆる間欠的な読取り動作を行なうものである。
【０００５】
このようなショックプルーフ再生機能を発揮させることによって外部振動に強いディスク再生装置とすることができ、当該のショックプルーフメモリの容量は正規の音声再生を数１０秒の間に行なうことができるような値に設定されていて、この設定秒時の間に振動等が発生して光信号読取りが不可能になっても正規に音声信号を再現させることができる。
【０００６】
このようなショックプルーフ再生機能は、ＣＤ再生の場合のみならず、ＭＤ、ＤＶＤ等々のディスクであっても、信号記録形態が磁気記録、光記録、光磁気記録のいずれであっても同様に働かせることができ、再生信号の形態が、音声信号のみ、映像信号のみ、音声信号が重畳された映像信号等々の全ての信号形態に対応でき、特に、ディスク再生装置が電池駆動型の可搬型で振動が多く与えられる場合に有用な機能である。
【特許文献１】特開２０００−０９０４４９公報（［００１１］に技術内容が開示）
【０００７】
このような再生を行っている途中で停止指令を与えるための停止キーが押操作された場合には、回転しているディスクを停止制御すると同時的にショックプルーフメモリに既に蓄積されている格納データを強制的に消去し、従って再生データの生成が打ち切られた状態にされる。
【発明の開示】
【発明が解決しようとする課題】
【０００８】
従来のディスク再生装置において、ディスク再生中に停止キーが押操作されるということは次のような第１と第２の場合が考えられる。
【０００９】
第１の場合は、現在再生中の動作を中断して完全に停止状態に移行させるもので、第２の場合は、現在再生中のディスクを別のディスクに交換し、新たなディスクの再生を引き続いて行なうものである。
【００１０】
よって、第１の場合には特段の問題がないものの、第２の場合には、現に装着されているディスクの再生を打ち切って、ディスク回転を停止させて再生モードを終了させた後に、新たに装着されたディスクの再生を開始するまでには少なくとも数秒から数１０秒の時間を要し、その間には音声等の再生情報が出力されないという無再生状態が続いてしまう。
【００１１】
この無再生状態には情報信号が再現されない無音もしくは無映像状態が継続するので、絶え間なく音楽等の聴取を望むユーザーの満足を得ることができない。
【００１２】
また、停止キーを押操作して停止モードに移行させた場合に、ショックプルーフメモリに蓄積されているデータを用いて再生情報を得る場合、ディスクが高速で回転したままでは、ディスクの高速回転中にドア部を開いて新たなディスクに交換する場合に
は、回転中のディスクに手指が触れる虞があるので危険が伴うという問題がある。
【００１３】
そこで、本発明の目的は、メモリ格納されたデータの再生継続中に回転中のディスクに手指が触れることなくディスク交換を可能とし、情報信号が再現されない無音もしくは無映像状態の時間を極力に少なくすることができるディスク再生装置を提供することにある。
【課題を解決するための手段】
【００１４】
前述の課題を解決するため、本発明によるディスク再生装置は、次のような特徴的な構成を採用している。
【００１５】
（１）情報信号が記録されたディスクを読取装置に装着し、前記情報信号を読み出してメモリに格納すると共に、該メモリから格納データを取り出して上記情報信号を再生するディスク再生装置において、
停止状態にさせる指令が与えられたときに、前記メモリに既に格納済みのデータを取り出して前記情報信号を継続して再生する連続再生モードを備え、前記連続再生モードは、停止状態にさせる指令が第１回目に与えられたときに、前記メモリに既に格納済みのデータを取り出して前記情報信号の再生出力を継続して前記ディスクを停止状態に移行させ停止状態にさせる指令が第２回目に与えられたときに、前記メモリに既に格納済みのデータの再生出力を停止するように構成するディスク再生装置。
【００１６】
（２）前記連続再生モードは、前記ディスクを停止状態にさせる指令が与えられたときに、前記メモリに既に格納済みのデータを全て取出した後に、完全停止状態に移行させるように構成する上記（１）に記載のディスク再生装置。
【発明の効果】
【００１７】
本発明によるディスク再生装置は、ディスクを停止状態にさせる指令が与えられたときに、メモリに既に格納済みのデータを取り出して前記情報信号を継続して再生する連続再生モードを備えているので、停止キーが押操作されたときには、メモリに残っているデータに基づく再生を行なうことができ、情報信号が再現されない無音もしくは無映像状態を極力に少なくすることができる。
【００１８】
また、停止キーの押操作を行ったときには、メモリリセット動作並びに再生制御動作が確実に行なわれそのための指令操作を行なうことも煩わしくなく実行でき、絶え間なく音楽を聴いていたいユーザーの顧客満足度を著しく向上させることができ、メモリに格納されているデータの再生状態からディスクの交換を行う際に回転中のディスクに手指が触れることがなく、情報信号が再現されない無音もしくは無映像状態の時間を極力に少なくすることができるディスク再生装置を提供することができる。
【実施例１】
【００１９】
本発明の実施の形態を［実施例１］として図１と図２を用いて説明する。なお、この例は、音声信号が記録済みのディスク（ＣＤ）を再生するＣＤプレーヤに本発明が適用されると共に、該ＣＤプレーヤが電池駆動型の可搬型で構成されている例である。
【００２０】
ディスク再生装置の全体構成を示す図１において、装置全体を複合的に制御するためのメインマイコン１が設けられ、これに信号処理回路２が接続されている。
【００２１】
信号処理回路２はディスクから読取られた光信号を最終的にはアナログ音声信号に変換するための一連処理を適正に行うためのもので、当該のディスクは、スピンドルモータ５によって回転駆動が与えられ、また、スレッドモータ４によってディスク径方向に駆動される光ピックアップ３によってディスクピットの読取りを行い得るように構成される。
【００２２】
光ピックアップ３と信号処理回路２の間に介在されるＲＦアンプ６は、光ピックアップ３によって読み取られた数μＶオーダーの微小レベルの光信号を信号処理回路２において処理するに必要な数Ｖ程度まで増幅するように構成され、ドライバ７は、スピンドルモータ５に対してディスク回転が適正になるように制御し、スレッドモータ４に対して目標とするトラック位置に駆動されるように制御し、光ピックアップ３に対してディスクピットに合焦状態でレーザ光束を照射すると共に、適正なトラッキング制御が行なわれるように構成されている。
【００２３】
信号処理回路２に接続されているショックプルーフメモリ８は、情報信号が記録済みのディスクから正規の再生速度より速い速度で光ピックアップ３によって読出された信号を信号処理回路２で処理した信号を間欠的に格納すると共に、そのときの書き込み速度より遅い速度で格納データを取り出して最終的なディスク再生信号を得るためのメモリであり、正規の再生時間の数１０秒に対応するメモリ容量に設定されている。
【００２４】
信号処理回路２のデジタル出力端に接続されたＤ/Ａ変換器９は、ディスクに記録された光記録信号を再生して得られるデジタル再生信号をアナログの音声信号に変換するもので、該Ｄ/Ａ変換器９から出力されるアナログ音声信号は、音声アンプ回路１０によって所定のライン信号レベルまで増幅され、図示しないメインアンプを介してスピーカに供給されたり、ヘッドホンアンプを介してヘッドホンに供給される。
【００２５】
メインマイコン１には、バッテリ検出回路１１、表示部１２、キー入力部１３、再生モードスイッチ１４が接続され、バッテリ検出回路１１は、ディスク再生装置を動作させるための電源電池（図示せず）の状態を検出し、電池残量表示を行なったり減電圧アラームを行なうための電圧検出信号を生成するものである。
【００２６】
表示部１２は、ディスク動作状態を表わす絵柄、再生音声出力レベルのバーグラフ、再生信号のスペアナ表示、現在再生時間、再生残時間、トラック番号、総再生時間表示等々の多種多様な表示を行なわせるものである。
【００２７】
キー入力部１３は、ディスク再生に関する多種多様な動作を指令するための複数キーで構成され、再生動作を指令する再生キー１３Ａと動作停止を指令するための停止キー１３Ｂを含んで構成され、他に一時停止指令、前曲再生指令、次曲再生指令、任意曲再生指令等々の多数多様なのキー釦を有して構成される。
【００２８】
再生モードスイッチ１４は、本発明の要部であり、通常再生モードと連続再生モードの２種のモードを任意に選択（切替え）できるようにするためのもので、通常再生モードは、停止キー１３Ｂが押操作されたときに、ショックプルーフメモリ８に既に格納済みのデータを取出さずに再生動作を停止状態に移行させるもので、連続再生モードは、停止キー１３Ｂが押操作されたときに、ショックプルーフメモリ８に既に格納済みのデータを消去することなく、再生動作を継続する状態にするもので、ＣＰモード(Continuous Play Mode)とも称される。
【００２９】
従って、次のような通常再生モードと連続再生モードとの２つの再生モードを任意に選択できるように構成される。
【００３０】
即ち、通常再生モードは、停止キー１３Ｂが操作されたことがメインマイコン１によって検出されたときに、ショックプルーフメモリ８に既に格納済みのデータを取出さずにディスクの再生動作を、光ピックアップ３とスレッドモータ４とスピンドルモータ５の制御を全てサーボ停止状態に移行させるモードである。
【００３１】
連続再生モードは、停止キー１３Ｂが操作されたことがメインマイコン１によって検出されたときに、ショックプルーフメモリ８に既に格納済みのデータを取り出して情報信号（音声信号）を継続して再現するモードである。
【００３２】
以上のような構成を有するディスク再生装置の詳細な動作は、図２に示すフローチャートのように、ディスク再生装置における動作がスタートすると、先ず、ステップＳ１でディスクが再生中であるか否かが判定され、Ｎｏの場合には強制的に終了とされ、Ｙｅｓの場合には次のステップＳ２に進み、停止キー１３Ｂが押操作されたか否かの判定が、メインマイコン１で検知されることによって行なわれ、Ｎｏの場合にはステップＳ２が再実行され、ＹｅｓになったときにステップＳ３に進む。
【００３３】
ステップＳ３は、ＣＰモード（連続再生モード）であるか否かを再生モードスイッチ１４の状態をメインマイコン１で検出するもので、Ｙｅｓの場合には、次のステップＳ４に進み、メインマイコン１から信号処理回路２を介してドライバ７を介してスピンドルモータ５の回転が制御され停止し、これと同時的に光ピックアップ３とスレッドモータ４の両方のサーボがオフされてステップＳ５に進む。
【００３４】
ステップＳ３でＮｏの場合、即ち、通常再生モードの場合には、ステップＳ８に移行し、メインマイコン１から信号処理回路２を介してドライバ７を介してスピンドルモータ５の回転が制御され停止し、これと同時的に光ピックアップ３とスレッドモータ４の両方のサーボがオフされて一連動作が終了とされる。
【００３５】
先程のステップＳ５は、ステップＳ２にて停止キー１３Ｂが押操作されたか否かが判定された後に、２回目の停止キー１３Ｂが押操作されたか否かを判定するもので、Ｙｅｓの場合にはステップＳ９に移行して再生出力を停止する。
【００３６】
ステップＳ５で、Ｎｏの場合、即ち、ステップＳ２にて停止キー１３Ｂが押操作されたか否かが判定された後に、再び停止キー１３Ｂが押操作されなかった場合にはステップＳ６に移行する。
【００３７】
ステップＳ６は、ショックプルーフメモリ８に既に格納されているデータの残量の有無を検出するもので、残量がある場合（Ｙｅｓの場合）にはステップＳ５が再実行され、残量が無いと判定された場合（Ｎｏの場合）にはステップＳ７に移行して完全停止状態にされて一連動作が終了とされる。
【００３８】
再生モードスイッチ１４がＣＰモード（連続再生モード）に選択された状態でディスクの再生が行われているときに、停止キー１３Ｂが第１回目として押操作されると、ショックプルーフメモリ８に既に蓄積されているデータを消去することなく音声再現の動作をショックプルーフメモリ８のデータ残量が無くなるまで継続させることができる。また、停止キー１３Ｂが押操作された後に、再び停止キー１３Ｂが第２回目として押操作された場合には、再生出力を打ち切って停止状態に移行させるのである。
【００３９】
なお、第２回目の停止キー１３Ｂの押操作がされる前に、ショックプルーフメモリ８の残量が無くなった場合には、完全停止状態にされて一連動作が終了とされる。
【００４０】
連続再生モードは、ディスクを停止状態にさせる指令が停止キー１３Ｂによって第１回目に与えられたときに、ショックプルーフメモリ８に既に格納済みのデータを取り出して情報信号を継続して再現することができ、ディスクの回転駆動が停止する。また、ディスクを停止状態にさせる指令が第２回目に与えられたときに、ショックプルーフメモリ８に既に格納済みのデータの再生出力を停止させることができ完全停止状態に移行させることができる。
【００４１】
なお、本発明によるディスク再生装置は、前述の［実施例１］に限定されること無く、その要旨を逸脱しない範囲内で種々の変形実施を採用できることは勿論である。
【００４２】
即ち、本実施例では、高速読み出しによってショックプルーフメモリにデータを蓄積する例に基づいて説明したが、これに限定されること無く、等速でディスクから読み出しを行う場合であっても、読み出された情報信号がメモリに一旦蓄積された後に再生出力されるものであれば、前述同様に本発明を適用することができる。
【００４３】
また、ディスクは、音声信号が記録されたＣＤの場合のみならず、映像信号及び／または音声信号が記録済みの場合の全てに対応でき、純粋なコンピュータデータの場合にも適用でき、これらの場合のディスクを形成する記録媒体は、磁気記録媒体、光記録媒体、光磁気記録媒体のいずれであっても良く、ＣＤの場合のみならずＤＶＤやＭＤであっても良く、その態様は、読み出し専用ディスク、追記可能ディスク、書換可能ディスクのいずれであってもよい。
【００４４】
また、ディスクを装着／離脱し得る開口部を覆う位置と露呈する位置の間で駆動させ得るドア部を開指示するための操作ボタンを、本発明による停止キーとして用いても良く、この場合には停止状態にさせる指令を上述の実施例の停止キー（１３Ｂ）と組み合わせて出力するようにしてもよい。
【図面の簡単な説明】
【００４５】
【図１】本発明の一実施の形態によるディスク再生装置のブロック回路図である。
【図２】図１に示されるディスク再生装置の詳細動作を説明するためのフローチャートである。
【符号の説明】
【００４６】
１  メインマイコン
２  信号処理回路
３  光ピックアップ
４  スレッドモータ
５  スピンドルモータ
６  ＲＦアンプ
７  ドライバ
８  ショックプルーフメモリ
９  Ｄ/Ａ変換器
１０  音声アンプ回路
１１  バッテリ検出回路
１２  表示部
１３  キー入力部
１３Ｂ  停止キー
１３Ａ  再生キー
１４  再生モードスイッチ
【図１】
2005078759.tif 000003
【図２】
2005078759.tif 000004